(57)【要約】【課題】商品包装容器に当該商品の生産者の顔が載せられていることにより、消費者の安心感、及び信頼感を得ることができ、又、生産者にとっても商品を販売するために、自身の顔が商品包装容器に載っていることにより、自信をもって商品を販売しているということを消費者に伝えることができる商品包装容器を提供する。【解決手段】商品包装容器１００は、複数の側壁部１１２、天井壁部１１４，底壁部１１０を有し、側壁部１１２、天井壁部１１４，底壁部１１０で囲む空間内に商品を収容する。１つの側壁部１１２には、生産者の顔写真が記載されている。領域Ｒを基準として下側の領域には、商品包装容器１００が収納する商品に関連した事項を記載する商品関連事項記載領域１２０が設けられている。【選択図】図１
0003154376.tif 000002
【実用新案登録請求の範囲】
【請求項１】
複数の壁部を有し、該壁部で囲む空間内に商品を収容する商品包装容器において、
前記複数の壁部のうち少なくともいずれか１つの壁部に、生産者の顔写真が記載されていることを特徴とする商品包装容器。
【請求項２】
前記生産者の顔が記載されている領域を基準として上側の領域、或いは下側の領域、或いは、向かって左側の領域、或いは向かって右側の領域には、前記商品に関連した事項を記載する商品関連事項記載領域が設けられていることを特徴とする請求項１に記載の商品包装容器。
【請求項３】
前記商品関連事項記載領域には、該商品の生産場所を記載する第１欄、該商品の生産者を記載する第２欄、及び商品名を記載する第３欄の３つの欄の並びを、上下方向に並ぶように、上から順に、第１欄，第２欄，第３欄の組合せ、第２欄，第３欄，第１欄の組合せ、第３欄，第１欄，第２欄の組合せ、第１欄，第３欄，第２欄の組合せ、第２欄，第１欄，第３欄の組合せ、第３欄、第２欄、第１欄の組合せのうち、１つの組合せで配置されていることを特徴とする請求項２に記載の商品包装容器。
【請求項４】
前記商品関連事項記載領域には、商品の生産場所を記載する第１欄、該商品の生産者を記載する第２欄、及び商品名を記載する第３欄の３つの欄の並びを、向かって左右方向に並ぶように、左から順に、第１欄，第２欄，第３欄の組合せ、第２欄，第３欄，第１欄の組合せ、第３欄，第１欄，第２欄の組合せ、第１欄，第３欄，第２欄の組合せ、第２欄，第１欄，第３欄の組合せ、第３欄、第２欄、第１欄の組合せのうち、１つの組合せで配置されていることを特徴とする請求項２に記載の商品包装容器。
【請求項５】
生産者のインターネットのホームページのＵＲＬが記載されている欄が、前記第２欄に並列に設けられていることを特徴とする請求項３又は請求項４に記載の商品包装容器。
【考案の詳細な説明】
【技術分野】
【０００１】
本考案は、商品を収容する商品包装容器に関する。
【背景技術】
【０００２】
従来から、農産物や水産物（海産物を含む）の商品を販売する際に、商品を収納した商品包装容器に商品ラベルを添付したり、或いは、商品包装容器自体に当該商品に関する事項を印刷している。従来の農産物や水産物に付される商品ラベルには、一般的には商品名、産地名、さらには販売者名が記載されている。
【考案の概要】
【考案が解決しようとする課題】
【０００３】
しかし、従来、購買する商品包装容器には、商品自体に関する事項が記載されてはいるが、生産者に関しては、生産会社或いは生産地の記載はあるものの、生産者の顔について記載されたものがなかった。
【０００４】
本考案の目的は、商品包装容器に当該商品の生産者の顔が載せられていることにより、消費者の安心感、及び信頼感を得ることができ、又、生産者にとっても商品を販売するために、自身の顔が商品包装容器に載っていることにより、自信をもって商品を販売しているということを消費者に伝えることができる商品包装容器を提供することにある。
【課題を解決するための手段】
【０００５】
上記問題点を解決するために請求項１の考案は、複数の壁部を有し、該壁部で囲む空間内に商品を収容する商品包装容器において、前記複数の壁部のうち少なくともいずれか１つの壁部に、生産者の顔写真が記載されていることを特徴とする商品包装容器を要旨とするものである。
【０００６】
請求項２の考案は、請求項１において、前記生産者の顔が記載されている領域を基準として上側の領域、或いは下側の領域、或いは、向かって左側の領域、或いは向かって右側の領域には、前記商品に関連した事項を記載する商品関連事項記載領域が設けられていることを特徴とする。
【０００７】
なお、本明細書において、生産者の顔が記載されている領域を基準として上側の領域、或いは下側の領域における「上」、「下」とは、生産者の顔を基準として上下を決定するものとする。又、「左」、「右」とは、前記上下の位置関係が定まった状態において、外表面と対面して見た場合を基準として、「左」及び「右」を決定するものとする。
【０００８】
請求項３の考案は、請求項２において、前記商品関連事項記載領域には、該商品の生産場所を記載する第１欄、該商品の生産者を記載する第２欄、及び商品名を記載する第３欄の３つの欄の並びを、上下方向に並ぶように、上から順に、第１欄，第２欄，第３欄の組合せ、第２欄，第３欄，第１欄の組合せ、第３欄，第１欄，第２欄の組合せ、第１欄，第３欄，第２欄の組合せ、第２欄，第１欄，第３欄の組合せ、第３欄、第２欄、第１欄の組合せのうち、１つの組合せで配置されていることを特徴とする。
【０００９】
請求項４の考案は、請求項２において、前記商品関連事項記載領域には、商品の生産場所を記載する第１欄、該商品の生産者を記載する第２欄、及び商品名を記載する第３欄の３つの欄の並びを、向かって左右方向に並ぶように、左から順に、第１欄，第２欄，第３欄の組合せ、第２欄，第３欄，第１欄の組合せ、第３欄，第１欄，第２欄の組合せ、第１欄，第３欄，第２欄の組合せ、第２欄，第１欄，第３欄の組合せ、第３欄、第２欄、第１欄の組合せのうち、１つの組合せで配置されていることを特徴とする。
【００１０】
請求項５の考案は、請求項３又は請求項４において、生産者のインターネットのホームページのＵＲＬが記載されている欄が、前記第２欄に並列に設けられていることを特徴とする。
【考案の効果】
【００１１】
請求項１の商品包装容器によれば、商品包装容器に当該商品の生産者の顔が載せられていることにより、消費者の安心感、及び信頼感を得ることができ、又、生産者にとっても商品を販売するために、自身の顔が商品包装容器に載っていることにより、自信をもって商品を販売しているということを消費者に伝えることができる。
【００１２】
請求項２の商品包装容器によれば、生産者の顔が記載されている領域に隣接して、当該商品に関連した事項を記載する商品関連事項記載領域が設けられていることにより、消費者は、顔が載せられた生産者が提供する商品の関連事項を知ることができる。
【００１３】
請求項３及び請求項４の商品包装容器によれば、商品関連事項記載領域には、商品の生産場所、商品の生産者（すなわち、生産者名）、商品名が記載されることにより、消費者は、商品名は、勿論のこと、商品の生産場所、並びに、生産者（生産者名）を容易に知ることができる。
【００１４】
請求項５の商品包装容器によれば、生産者に関するインターネットのホームページのＵＲＬが記載されているため、消費者は、このＵＲＬを使用することにより、生産者に関するインターネットのホームページに容易にアクセスすることが可能となる。
【図面の簡単な説明】
【００１５】
【図１】第１実施形態の商品包装容器の概略斜視図。
【図２】（ａ）〜（ｄ）は第１実施形態、及び変形例の側壁部の外表面に設けられた商品関連事項記載領域の正面図。
【図３】他の実施形態の商品包装容器の側壁部の外表面に設けられた商品関連事項記載領域の正面図。
【考案を実施するための形態】
【００１６】
（第１実施形態）
本考案を、具体化した商品包装容器の一実施形態を図１及び図２（ａ）を参照して説明する。
【００１７】
本実施形態の商品包装容器１００は、紙製であって、図１に示すように、直方体形状に形成されている。なお、商品包装容器１００は直方体形状に限定されるものではなく、立方体形状でもよい。又、商品包装容器１００の組立の構成は、本考案とは関係ないため、形状のみの説明とし、その組立方法は公知であるため、説明を省略する。
【００１８】
商品包装容器１００は、底部を構成する底壁部１１０と、該底壁部１１０から立設された４つの側壁部１１２と、該側壁部１１２の上部に連結された天井壁部１１４を有する。これらの壁部により商品を収納する収納空間が形成される。天井壁部１１４は、１つの側壁部１１２に対してヒンジ部１１２ａを介して連結されており、図１の二点鎖線で示すように、４つの側壁部１１２で囲まれた上部開口を閉鎖している状態からヒンジ部１１２ａを介して上方へ開放可能である。
【００１９】
前記底壁部１１０と、４つの側壁部１１２及び天井壁部１１４は壁部に相当する。
１つの側壁部１１２の外表面には、図１、図２（ａ）に示すように、ラベル１１６が接着剤により貼着されている。ラベル１１６の表面において、中央部には商品包装容器１００が収納する商品の生産者の顔を含む半身像の写真が印刷された領域Ｒを有する。すなわち、領域Ｒには、生産者の顔写真が記載されている。又、領域Ｒに隣接する上側の領域には、図１、図２（ａ）に示すように、キャッチコピーである「生産者の顔が見える贈り物」の記載が印刷されている。
【００２０】
又、ラベル１１６の表面の下部には、領域Ｒの下側に位置するように商品関連事項記載領域１２０が設けられている。
商品関連事項記載領域１２０には上下方向に並ぶように領域Ａ〜Ｅが設けられている。領域Ａ〜Ｃは、第１欄〜第３欄にそれぞれに相当する。領域Ａは、本実施形態では、生産場所（すなわち、地名）と、生産会社が印刷により記載されている。本実施形態では、領域Ａは横書きで記載されている。
【００２１】
領域Ａの下側の領域には領域Ｂが設けられている。領域Ｂには、領域Ｒの顔写真で印刷された生産者、すなわち、商品の製造責任者である生産者の名前（生産者名）と、該生産者の印影が印刷されている。領域Ｂの生産者名は横書きで記載されている。
【００２２】
領域Ｂの下側には、領域Ｃが設けられている。領域Ｃには、商品名が横書きで記載されている。領域Ｃの下側には、領域Ｄが設けられている。領域Ｄには、商品が食品の場合に設けられるもので、該食品に含まれるアレルギー源が記載されている。
【００２３】
又、領域Ｄの下側には、領域Ｅが設けられている。領域Ｅには、生産者に関するインターネットのホームページのＵＲＬが横書きで記載されている。
又、図１に示すようにラベル１１６が貼着された側壁部１１２とは異なる側壁部１１２には、表面に説明分が記載されたラベル１３０が貼着されている。ラベル１３０には、商品の詳細な説明は、商品とともに商品包装容器１００内に収納されたしおり等の説明書（図示しない）に記載されている旨の文が記載されている。
【００２４】
さて、上記のように構成された商品包装容器１００の効果を以下に説明する。
（１）  本実施形態の商品包装容器１００は、複数の側壁部１１２、天井壁部１１４，底壁部１１０（壁部）を有し、側壁部１１２、天井壁部１１４，底壁部１１０（壁部）で囲む空間内に商品を収容する。そして、１つの側壁部１１２には、生産者の顔写真が記載されている。この結果、商品包装容器１００に当該商品の生産者の顔が載せられていることにより、消費者の安心感、及び信頼感を得ることができ、又、生産者にとっても商品を販売するために、自身の顔が商品包装容器に載っていることにより、自信をもって商品を販売しているということを消費者に伝えることができる。
【００２５】
（２）  本実施形態の商品包装容器１００は、生産者の顔が記載されている領域Ｒを基準として下側の領域には、商品包装容器１００が収納する商品に関連した事項を記載する商品関連事項記載領域１２０が設けられている。この結果、生産者の顔が記載されている領域Ｒに隣接して、当該商品に関連した事項を記載する商品関連事項記載領域１２０が設けられていることにより、消費者は、顔が載せられた生産者が提供する商品の関連事項を知ることができる。
【００２６】
（３）  本実施形態の商品関連事項記載領域１２０には、商品の生産場所を記載する領域Ａ（第１欄）、該商品の生産者を記載するＢ（第２欄）、及び商品名を記載する領域Ｃ（第３欄）を有する。又、領域Ａ、領域Ｂ、及び領域Ｃのうち、領域Ｂを真ん中にして、領域Ａが上に、領域Ｂが下に並んで配置されている。この結果、本実施形態の商品包装容器１００によれば、商品関連事項記載領域１２０には、商品の生産場所、商品の生産者（すなわち、生産者名）、商品名が記載されることにより、消費者は、商品名は、勿論のこと、商品の生産場所、並びに、生産者（生産者名）を容易に知ることができる。
【００２７】
（４）  本実施形態の商品関連事項記載領域１２０には、生産者のインターネットのホームページのＵＲＬが記載されている領域Ｅ（欄）が、領域Ｃに並列に設けられている。この結果、本実施形態の商品包装容器１００は、生産者に関するインターネットのホームページのＵＲＬが記載されているため、消費者は、このＵＲＬを使用することにより、生産者に関するインターネットのホームページに容易にアクセスすることが可能となる。
【００２８】
（第２実施形態）
次に、第２実施形態を図２（ｂ）を参照して説明する。なお、第２実施形態を含め、以下に説明する実施形態では、第１実施形態の構成と同一又は相当する構成については同一符号を付してその詳細な説明を省略し、異なる構成を中心に説明する。第２実施形態では、商品包装容器１００自体の構成は、第１実施形態と同様であり、ラベル１１６の構成が異なるため、ラベル１１６について説明する。
【００２９】
第２実施形態は、図２（ｂ）に示すように、ラベル１１６において、商品関連事項記載領域１２０の上から、領域Ｂ，Ｃ，Ｄ，Ａ，Ｅの順に配置されているところが、第１実施形態と異なっている。
【００３０】
第２実施形態の商品包装容器１００の効果は、第１実施形態の（１）〜（４）と同様の効果を奏する他、下記の効果がある。
（第３実施形態）
次に、第３実施形態を図２（ｃ）を参照して説明する。第３実施形態では、「生産者の顔が見える贈り物」の表記が横書きであること、及びラベル１１６において、商品関連事項記載領域１２０の上から、領域Ｃ，Ｄ，Ａ，Ｂ，Ｅの順に配置されているところが、第１実施形態と異なっている。
【００３１】
上記のように構成された第３実施形態の商品包装容器１００は、第１実施形態の上記（１）乃至（４）と同様の効果を奏する。
（第４実施形態）
次に、第４実施形態を図２（ｄ）を参照して説明する。第４実施形態では、「生産者の顔が見える贈り物」の表記が横書きであること、及びラベル１１６において、商品関連事項記載領域１２０の左から、領域Ａ，Ｂ，Ｃ，Ｄの順に配置されて、内容が縦書きされ、最下部に領域Ｅが配置されて内容が横書きされているところが、第１実施形態と異なっている。
【００３２】
上記のように構成された第４実施形態の商品包装容器１００は、第１実施形態の上記（１）乃至（４）と同様の効果を奏する。
（第５実施形態）
次に、第５実施形態を図３を参照して説明する。本実施形態の商品包装容器２００は、紙製であって、図３に示すように、円筒形状に形成されている。商品包装容器２００の組立の構成は、本考案とは関係ないため、形状のみの説明とし、その組立方法は公知であるため、説明を省略する。商品包装容器２００は、円形状の底部を構成する底壁部２１０と、該底壁部２１０から立設された円筒状の側壁部２１２と、該側壁部２１２の上部に連結された天井壁部２１４を有する。これらの壁部により商品を収納する収納空間が形成される。前記底壁部２１０と、側壁部２１２及び天井壁部２１４は壁部に相当する。天井壁部２１４は、側壁部２１２に対してヒンジ部２１２ａを介して連結されており、側壁部２１２で囲まれた上部開口を閉鎖している状態からヒンジ部２１２ａを介して上方へ開放可能である。
【００３３】
そして、第５実施形態では、側壁部２１２に対して第１実施形態と同様の構成のラベル１１６が貼着されている。
第５実施形態においても第１実施形態の上記（１）乃至（４）と同様の効果を奏する。
【００３４】
なお、本考案の実施形態は以下のように変更してもよい。
・  前記各実施形態では、１つの側壁部１１２にラベル１１６を貼着したが、２つ、３つ又は４（すなわち、側壁部１１２の全部）の側壁部１１２に対して、それぞれ商品の生産者の顔を含む半身像の写真が印刷された領域Ｒと商品関連事項記載領域１２０を有するラベル１１６を貼着してもよい。
【００３５】
・  前記ラベル１１６に印刷された領域Ｒ、商品関連事項記載領域１２０を１つの側壁部１１２に対して、或いは、２つ、３つ、又は４つの側壁部１１２に対して直接印刷するようにしてもよい。
【００３６】
・  前記各実施形態では、領域Ｒの下側に商品関連事項記載領域１２０を配置したが、領域Ｒの上側の領域に商品関連事項記載領域１２０を設けてもよい。
・  前記各実施形態では、領域Ｒの下側に商品関連事項記載領域１２０を配置したが、領域Ｒの向かって右側の領域に商品関連事項記載領域１２０を設けてもよい。
【００３７】
・  前記各実施形態では、領域Ｒの下側に商品関連事項記載領域１２０を配置したが、領域Ｒの向かって左側の領域に商品関連事項記載領域１２０を設けてもよい。
・  図２（ａ）の実施形態では領域Ａ，Ｂ，Ｃ、図２（ｂ）では、領域Ｂ，Ｃ，Ａ、図２（ｃ）では、領域Ｃ，Ａ，Ｂの順に上から配置したが、領域Ａ，Ｃ，Ｂの順、或いは、領域Ｂ，Ａ，Ｃの順、或いは、領域Ｃ，Ｂ，Ａの順となるように上から配置してもよい。
【００３８】
・  図２（ｄ）の実施形態では、領域Ａ，Ｂ，Ｃの順に左から配置したが、領域Ｂ，Ｃ，Ａの順の組合せ、領域Ｃ，Ａ，Ｂの順の組合せ、領域Ａ，Ｃ，Ｂの順の組合せ、領域Ｂ，Ａ，Ｃの順の組合せ、或いは、領域Ｃ，Ｂ，Ａの順の組合せとなるように向かって左から順に配置してもよい。
【００３９】
・  前記各実施形態では、生産者の顔写真は、半身像であったが、首以上の顔写真であってもよい。
・  商品包装容器１００の外形形状は、直方体、立方体、円柱形状に限定されるものではなく、複数の壁部を備えており、商品の収納空間を形成するものであれば、限定されるものではない。
【００４０】
・  前記各実施形態において、領域Ｅを省略してもよく、或いは領域Ｄを省略してもよい。
【符号の説明】
【００４１】
１００…商品包装容器、１１６…ラベル、１２０…商品関連事項記載領域、
Ａ…領域（第１欄）、Ｂ…領域（第２欄）、Ｃ…領域（第３欄）
Ｒ…生産者の顔写真が記載されている領域。
【図１】
0003154376.tif 000003
【図２】
0003154376.tif 000004
【図３】
0003154376.tif 000005